【手続補正書】
【提出日】平成24年5月17日(2012.5.17)
【手続補正１】
【補正対象書類名】特許請求の範囲
【補正対象項目名】全文
【補正方法】変更
【補正の内容】
【特許請求の範囲】
【請求項１】
被写体像を撮像する撮像部と、
複数のタイミングで、上記撮像部から得られた画像を比較する画像比較部と、
仮記憶した第１のタイミングの画像と、上記第１のタイミングから所定時間経過後の第２のタイミングの画像を、上記画像比較部において比較し、この比較結果が一致する場合には、上記第１のタイミングから上記第２のタイミングの一連の画像を記録する画像記録部と、
を有することを特徴とする撮影装置。
【請求項２】
上記画像比較部は、画面内所定位置の画像に相当する部分を比較することを特徴とする請求項１に記載の撮影装置。
【請求項３】
上記撮影装置は、画面内の人物の顔を検出する顔検出部を有し、
上記画像比較部が比較する画面内所定位置の画像に相当する部分は、上記画面内の人物顔部以外である
ことを特徴とする請求項２に記載の撮影装置。
【請求項４】
被写体像を撮像し画像データを順次、出力可能な撮像部と、
順次出力される上記画像データを比較し、変化部を抽出する画像変化抽出部と、
上記画像変化抽出部によって抽出された上記変化部の変化の周期を検出する周期検出部と、
上記周期検出部によって検出された一周期相当の上記画像データを連続画像として記録し、かつ上記撮像部から出力される画像データに基づいて静止画像として記録する記録部と、
を有することを特徴とする撮影装置。
【請求項５】
上記周期検出部は、上記画像データに基づいて、同じ動作を繰り返す背景被写体の画像が一致するまでの期間を検出し、上記周期とすることを特徴とする請求項４に記載の撮影装置。
【請求項６】
上記周期検出部は、上記画像データに基づいて、画面の一方の端から他方の端まで移動する背景被写体が他方の端まで移動する期間を検出し、上記周期とすることを特徴とする請求項４に記載の撮影装置。
【請求項７】
上記周期検出部は、上記画像データに基づいて、画面の中に現れてから消失するまでの期間を検出し、上記周期とすることを特徴とする請求項４に記載の撮影装置。
【請求項８】
上記連続画像と上記静止画像を合成する画像合成部と、
上記合成された画像を表示する表示部と、
を有することを特徴とする請求項４に記載の撮影装置。
【請求項９】
上記周期検出部によって上記周期の検出を行っている間、保持警告を表示することを特徴とする請求項４に記載の撮影装置。
【請求項１０】
上記画像データに基づいて、人物の顔部を検出する顔検出部を有し、
上記画像変化抽出部は、上記顔部以外において上記変化部を抽出することを特徴とする請求項４に記載の撮影装置。
【請求項１１】
上記画像データに基づいて被写体像をライブビュー表示する表示部と、
上記ライブビュー表示の画面上における部分を指定する指定部と、
を有し、
上記周期判定部は、上記指定部によって指定された上記部分に対応する被写体像の上記周期を検出することを特徴とする請求項４に記載の撮影装置。
【請求項１２】
被写体像を撮像し画像データを順次、出力し、
順次出力される上記画像データを比較し、変化部を抽出し、
上記抽出された上記変化部の変化の一周期を検出し、
上記検出された一周期相当の上記画像データを連続画像として記録し、かつ上記画像データを静止画像として記録する、
ことを特徴とする撮影方法。
【請求項１３】
静止画の上記画像データと、背景被写体が変化している場合に一周期相当の画像データを、上記静止画に関連付けて記録された動画の画像データを記憶し、
上記記憶された上記静止画の画像データに、上記背景被写体の変化している部分を合成し、
上記合成された画像を表示する、
ことを特徴とする再生方法。
【請求項１４】
被写体像を表示する表示部と、
上記表示部上で領域を指定するタッチパネルと、
上記タッチパネルによって指定された領域の動画像と静止画像とを合成する画像合成部と、
を具備することを特徴とする画像処理装置。
【請求項１５】
コンピュータに、
被写体像を表示部に表示するステップと、
上記表示部上で指定された領域を検出するステップと、
上記指定された領域の動画像と上記被写体像の全体を示す静止画像とを合成するするステップと、
を実行させるための画像処理用プログラム。
【手続補正２】
【補正対象書類名】明細書
【補正対象項目名】発明の名称
【補正方法】変更
【補正の内容】
【発明の名称】撮影装置、撮影方法、再生方法、画像処理装置、および画像処理用プログラム
【手続補正３】
【補正対象書類名】明細書
【補正対象項目名】０００１
【補正方法】変更
【補正の内容】
【０００１】
本発明は、デジタルカメラ、ビデオカメラ、カメラ付き携帯電話等の撮影装置に関し、詳しくは、静止画でありながら、繰り返し動く背景を再生表示することの可能な撮影装置、撮影方法、再生方法、画像処理装置、および画像処理用プログラムに関する。
【手続補正４】
【補正対象書類名】明細書
【補正対象項目名】０００６
【補正方法】変更
【補正の内容】
【０００６】
本発明は、このような事情を鑑みてなされたものであり、静止画写真を楽しむことに加えて、動きの面白さや時間の推移を感じることのできる写真画像を撮影することのできる撮影装置、撮影方法、及びこれに相応しい再生方法、画像処理装置、および画像処理用プログラムを提供することを目的とする。
【手続補正５】
【補正対象書類名】明細書
【補正対象項目名】０００９
【補正方法】変更
【補正の内容】
【０００９】
第４の発明に係わる撮影装置は、被写体像を撮像し画像データを順次、出力可能な撮像部と、順次出力される上記画像データを比較し、変化部を抽出する画像変化抽出部と、上記画像変化抽出部によって抽出された上記変化部の変化の周期を検出する周期検出部と、上記周期検出部によって検出された一周期相当の上記画像データを連続画像として記録し、かつ上記撮像部から出力される画像データに基づいて静止画像として記録する記録部と、を有する。
【手続補正６】
【補正対象書類名】明細書
【補正対象項目名】００１３
【補正方法】変更
【補正の内容】
【００１３】
第１３の発明に係わる再生方法は、静止画の上記画像データと、背景被写体が変化している場合に一周期相当の画像データを、上記静止画に関連付けて記録された動画の画像データを記憶し、上記記憶された上記静止画の画像データに、上記背景被写体の変化している部分を合成し、上記合成された画像を表示する。
第１４の発明に係わる画像処理装置は、被写体像を表示する表示部と、上記表示部上で領域を指定するタッチパネルと、上記タッチパネルによって指定された領域の動画像と静止画像とを合成する画像合成部と、を具備する。
第１５の発明に係わる画像処理用プログラムは、コンピュータに、被写体像を表示部に表示するステップと、上記表示部上で指定された領域を検出するステップと、上記指定された領域の動画像と上記被写体像の全体を示す静止画像とを合成するするステップを、実行させる。
【手続補正７】
【補正対象書類名】明細書
【補正対象項目名】００１４
【補正方法】変更
【補正の内容】
【００１４】
本発明によれば、静止画写真を楽しむことに加えて、動きの面白さや時間の推移を感じることのできる写真画像を撮影することのできる撮影装置、撮影方法、及びこれに相応しい再生方法、画像処理装置、および画像処理用プログラムを提供することができる。